(57)【特許請求の範囲】
【請求項１】
制御信号を通信システムに加えるためのユーザーインターフェース装置であって、
少なくとも１つのスクロール作動要素であって、前方又は後方への前記スクロール作動要素の各所定量の回転は、アクションを規定し、それによって、前記アクションのそれぞれ又は組み合わせは、前記通信システムの１つ以上のタスクを作動させることを引き起こす、スクロール作動要素と、
複数の加圧可能領域を有する、少なくとも１つの圧力作動される多方向の傾斜可能／押圧可能プレートと、
を備え、
前記加圧可能領域のそれぞれは、前記傾斜可能／押圧可能プレートの下に位置した対応する圧力要素を作動させ、
特定の圧力要素の各作動は、各圧力要素の位置に向けて前記傾斜可能／押圧可能プレートの傾斜‐押圧の際に、それぞれ実行され、
前記圧力作動される多方向の傾斜可能／押圧可能プレート、及び、前記スクロール作動要素は、前記通信システムのハウジング内に少なくとも部分的に埋め込まれており、
前記ハウジングは、ヘルメットに直接的に又は専用のクレードルを介して装着されるように適合されており、
前記ヘルメットへの前記通信システムの装着状態において、前記スクロール作動要素の回転軸は、前記通信システムが位置付けられた表面の法線に対して垂直であることを特徴とする、ユーザーインターフェース装置。
【請求項２】
前記スクロール作動要素は、前記スクロール作動要素を押圧することによって作動させるクリック可能な要素を含み、
それによって、前記クリック可能な要素の各クリック又は一連の後続のクリックはアクションを規定し、前記押圧は、前記スクロール作動要素の軸に対して垂直であることを特徴とする、請求項１に記載のユーザーインターフェース装置。
【請求項３】
前記スクロール作動要素は、前方及び後方のうちの一方向又は両方向においてその回転運動において制限され、
決して回転しない状態を有することができることを特徴とする、請求項１または２に記載のユーザーインターフェース装置。
【請求項４】
前記制御信号は、前記圧力要素の作動を制御信号に変換する処理ユニットを介して前記通信システムに適用されることを特徴とする、請求項１〜３のいずれか一項に記載のユーザーインターフェース装置。
【請求項５】
前記通信システムは、外部通信装置と通信するための少なくとも１つの通信回路及びアンテナを備えることを特徴とする、請求項１〜４のいずれか一項に記載のユーザーインターフェース装置。
【発明の詳細な説明】
【技術分野】
【０００１】
本願発明は、通信システムに関する。より具体的には、本願発明は、それに限定されないが、例えばオートバイの運転者又は乗客によって着用されたヘルメットと併せて使用するのに適した通信システムのためのユーザーインターフェースに関する。
【背景技術】
【０００２】
ヘルメットと併せて使用するのに適した携帯通信システムはこの技術分野において知られており、それに限定するわけではないが、カルドシステム社によるスカラライダーの製品ラインとして知られている。そのような通信システムは製品によって異なる場合があり、例えば、オートバイのライダーが、音声命令を介して1マイル／１．６ｋｍまでの範囲内で8人の追加的なライダーに接続することを可能にするインターコム、インテリジェントな音声認識技術手段、自律ブルートゥース（登録商標）システム又はスマートフォンなどの携帯通信装置を通じて操作するブルートゥース（登録商標）システム、或いは、複数の無線通信システム及びプロトコルを採用するシステムを含んでもよい。
【発明の概要】
【発明が解決しようとする課題】
【０００３】
今までのところ、当該技術は、特にグローブの着用中における、安全性及び操作の利便性を提供する通信システムのためのユーザーインターフェースを提供していない。本願発明の目的は、ヘルメットの側部分に装着され、且つ着用者によって容易に且つ便利に操作されることができるユーザーインターフェースを提供することである。
【０００４】
本願発明の他の目的は、グローブを着用している間でさえ、通信システムを操作するために着用者によって使用されることができる、手又は指の単純な動きによって操作可能な要素を備えるユーザーインターフェースを提供することである。
【０００５】
本願発明の他の目的及び利点は、以下の説明から明らかになるであろう。
【課題を解決するための手段】
【０００６】
一の態様において、本願発明は、制御信号を通信システムに加えるためのユーザーインターフェース装置（ＵＩＤ）であって、複数の加圧可能領域を有する多方向傾斜可能／押圧可能プレートによって操作される少なくとも1つの圧力作動要素を備え、前記加圧可能領域のそれぞれはアクションを規定し、所望された加圧可能領域に向けて傾斜する／押圧することによって作動し、それによって、前記アクションのそれぞれ又はそれらの組み合わせは、前記通信システムの1つ以上のタスクを作動させることを引き起こす、ユーザーインターフェースに関する。
【０００７】
他の態様において、本願発明は、制御信号を通信システムに加えるためのユーザーインターフェース装置であって、少なくとも1つのスクロール作動要素を備え、前方又は後方のいずれかの方向における前記スクロール作動要素の各スクロールはアクションを規定し、それによって、前記アクションのそれぞれ又はそれらの組み合わせは、前記通信システムの１つ以上のタスクを作動させることを引き起こす、ユーザーインターフェース装置（ＵＩＤ）に関する。
【０００８】
さらなる他の態様において、本願発明は、制御信号を通信システムに加えるためのユーザーインターフェース装置であって、少なくとも1つの圧力作動領域を有する傾斜可能／押圧可能プレートと、少なくとも1つのスクロール作動要素との両方を備えるユーザーインターフェース装置（ＵＩＤ）に関する。
【０００９】
使用者の自律通信手段（例えば、ブルートゥース（登録商標）対応電話）又は他の外部通信装置或いは遠隔装置と通信するために、本願発明のユーザーインターフェース装置を含む通信手段はまた、ブルートゥース（登録商標）モジュール等の通信回路と、少なくとも1つのアンテナと、を含む。
【００１０】
本願発明の一の実施形態によれば、圧力作動要素及び／又はスクロール作動要素は、通信システムのハウジング内に埋め込まれている。
【００１１】
本願発明の一の実施形態によれば、ハウジングは、直接的に又は専用のクレードルを介してヘルメットに装着されるように適合される。
【００１２】
本願発明の実施形態によれば、圧力作動要素は個別のキーを含み、それによって、ユーザーインターフェース装置は、傾斜可能／押圧可能プレートに加えて標準的な圧力キーを含む。
【００１３】
本願発明の実施形態によれば、スクロール作動要素は、スクロール作動要素を押圧することによって作動させるクリック可能な要素を含み、それによって、前記クリック可能な要素の各クリック又は一連の後続のクリックはアクションを規定し、前記スクロール作動要素は、クリック可能要素に対する押圧が前記スクロール作動要素の軸に対して垂直である方法で構成される。
【００１４】
本願発明の実施形態によれば、スクロール作動要素のスクロールアクションは、前方及び後方のうちの一方向又は両方向においてその回転運動において制限される。
【００１５】
本願発明の一実施形態によれば、スクロール作動要素は、一方向にのみ回転し、又は、前方又は後方のいずれかに決して回転しない。
【００１６】
本願発明の実施形態によれば、制御信号は、加圧可能領域の作動を制御信号に変換する処理ユニットを介して、通信システムに加えられる。
【００１７】
他の態様において、本願発明は、制御信号を通信システムに加えるためのユーザーインターフェース装置であって、少なくとも１つのスクロール作動要素を備え、スクロール作動要素の各スクロールは、前方又は後方に直線的な動きで使用者の手／指をスクロール作動要素上でスワイプすることによって、アクションを規定し、それによって、アクションのそれぞれ又はそれらの組み合わせは、通信システムの１つ以上のタスクを作動させることを引き起こす、ユーザーインターフェース装置に関する。
【００１８】
本願発明の実施形態によれば、スクロール作動要素は個別のキーを含み、ユーザーインターフェース装置がローラー又は他のスクロール可能要素に加えて、標準的な圧力キーを含む。
【００１９】
本願発明の実施形態によれば、スクロール作動要素の回転軸は、特にヘルメット上の、通信システムが位置付けられた表面の垂線に対して略垂直である。
【００２０】
本願発明の実施形態によれば、圧力作動要素及びスクロール作動要素は、特にグローブを着用している間に、ヘルメットの着用者の指又は手によって容易に届き操作されるように適合される。
【図面の簡単な説明】
【００２１】
【図１】本願発明の一の実施形態による、ローラー及びタッチプレートを有するインターフェース装置の平面図である。
【図２】ローラーの自由度の詳細図とともに、本願発明の一の実施形態によるユーザーインターフェース装置の斜視図である。
【図３Ａ】プラットフォーム押圧位置のオプションの配列を有する、本願発明の一の実施形態によるユーザーインターフェース装置の斜視図である。
【図３Ｂ】プラットフォーム押圧位置のオプションの配列を有する、本願発明の一の実施形態によるユーザーインターフェース装置の斜視図である。
【図４】本願発明の他の実施形態による通信システムの概略図である。
【図５】そのメインボディの「上部」シェルが部分的にない状態の、図４の通信システムの概略図である。
【発明を実施するための形態】
【００２２】
次いで、図１を参照すると、制御信号を通信システム１に加えるための新規のユーザーインターフェース装置（ＵＩＤ）は、本願発明の実施形態に従って概略的に図示される。この実施形態において、ユーザーインターフェース装置（ＵＩＤ）は、複数の加圧可能領域又は接触作動領域を有する複数の圧力作動要素１１と、スクロール作動要素１２（ローラーとして周知である）とを含む。それに故に、本願発明は添付した図面において図示されており、それによって、本願発明を限定するものではなく、ユーザーインターフェース装置の圧力作動要素１１及びスクロール作動要素１２を収容する通信システム１のメインボディ１０を使用する。圧力作動要素１１及びスクロール作動要素１２の両方は、使用者の指に対する容易なアクセスを提供することができる。
【００２３】
当業者に明らかなように、且つ以下にさらに議論されるように、ユーザーインターフェース装置（ＵＩＤ）は、圧力作動要素１１又はスクロール作動要素１２の複数の変形例又は組み合わせを含むことができる。例えば、この実施形態において、圧力作動要素１１及びスクロール作動要素１２は、メインボディ１０の同じ側に位置している。本願発明の他の実施形態によれば、圧力作動要素１１はハウジング１０の一の側に位置することができ、スクロール作動要素１２は他の側又は他の向きに位置することができる。
【００２４】
本願発明の実施形態によれば、通信システム１は、ユーザーインターフェース装置（ＵＩＤ）の圧力作動要素１１及びスクロール作動要素１２の操作から受信した信号を、通信システム１の異なる機能性を操作するための制御信号に変更するように適合された処理ユニット（図示していない）を備える。通信システム１は、有線方法又は無線方法において、制御信号を、それと関連した通信システムに送信又は通信システムから受信するように適合された通信回路（図示しない）をさらに備えてもよい。本願発明の一の実施形態において、行われるべき無線通信のために必要とされるアンテナは、メインボディ１０の内側に位置する。ユーザーインターフェース装置（ＵＩＤ）のそれらの要素の間の電気的配置及び接続、並びにユーザーインターフェース装置のそれらの要素と通信システム１との間の接続は、当業者にとってすぐに明らかであろう様々な方法で実施することができ、それ故に、簡潔さのために、本願明細書では詳細に図示していない。
【００２５】
図２は、本願発明の一の実施形態による、「ローラー」（すなわち、ユーザーインターフェース装置（ＵＩＤ）のスクロール作動要素１２）の自由度を概略的に図示する。スクロール作動要素１２は、コンピュータマウスの一般的なホイールの動作に類似しており、押圧されることができる、又は後方／前方へ（例えば、左方向及び右方向への回転で）スクロールされることができる。それによって、スクロール作動要素１２は、３自由度を提供する。スクロール作動要素１２のそれぞれの動き、例えばその上部のクリック又はそれらの組み合わせは、専用のソフトウェア又は処理ユニットのプログラミングによって異なるアクションを規定することができる。
【００２６】
本願発明の新規のユーザーインターフェース装置（ＵＩＤ）が設けられた通信システム１は、ヘルメットの側部（例えば、着用者の頬の中間部におおよそ対応する部分）に位置付けられることができる。しかしながら、前述した部分は、ヘルメットの着用者が乗車中に操作しなければならないローラー要素／圧力要素にとって特に重要であるが、このことは決して本願発明を限定するものではない。図３Ａ及び図３Ｂは、本願発明のいくつかの実施形態によれば、圧力作動要素１１上の押圧位置の異なる配列を有する通信システム１を示す。圧力作動要素１１は、複数の加圧可能領域を備え、複数の加圧可能領域のそれぞれは、異なるアクション「キー」を規定する。
【００２７】
第１のオプションの配列は、図３Ａにおける発明の例示的な実施形態に示されており、アクション「キー」は、参照符号３１、３２、３３、及び３４によって示される。第２のオプションの配列は、図３Ｂにおける発明の例示的な実施形態に示されており、アクション「キー」は、参照符号３５、３６、３７、及び３８で示される。各キーは、例えば、「オン」、「オフ」、及び「話す」等の異なる役割を割り当てられてもよい。通信システム１又は遠隔／ペアリング通信システムを制御するための様々なタスクは、圧力作動要素１１のアクション「キー」の作動とスクロール作動要素１２の自由度とを組み合わせることによって適用されることができる。アクション「キー」の作動はまた、処理ユニットのプログラミングに応じて、同じキー／ローラーを相対的に長時間押すこと（例えば、２〜５秒）、又は、同じキー／ローラーの複数の連続的な押圧を適用することによって得られることができる。同じ方法において、ローラーはまた、連続的な押圧又は長い間の押圧によって動作されてもよい。
【００２８】
図４は、本願発明の他の実施形態による、通信システム２を概略的に図示する。図５は、メインボディ１０の「上部」シェルが部分的にない状態の、通信システム２を概略的に図示する。この実施形態において、圧力作動要素は、多方向傾斜可能／押圧可能プレート２１を含み、当該プレート２１は、プレート２１の下にそれぞれ配置された３つの加圧可能領域２２、２３、及び２４と３つの圧力要素２６、２７、及び２８とを含む。３つの圧力要素２６〜２８のそれぞれは、その上の加圧可能領域を押圧する間に、所望の圧力要素に向けてプレート２１を傾斜／押圧することによって作動することができる。制御信号を受信するために適合された処理回路及び通信回路は、（例えば、プリント回路基板（ＰＣＢ）の形態で）参照符号２５によって一般的に示される。この実施形態において、圧力要素２６、２７、２８は、プリント回路基板（ＰＣＢ）２５上に位置したタクトスイッチである。鎖線で示された円は、多方向傾斜可能プレート２１の外側表面上の加圧可能領域２２〜２４を概略的に図示し、ライダーは、圧力要素２６〜２８のそれぞれを作動させるためにそれらを押圧してもよい。図面から容易に理解されることができるように、傾斜可能／押圧可能プレート２１は、使用者が、そのプレートの下に位置した対応する圧力要素の本来の寸法より大きな領域を押圧することを可能にする。それによって、例えばバイクに乗っている間、グローブを着用している場合でさえ、使用者が通信システム１を容易に操作することを可能にする。
【００２９】
この実施形態において、通信システム２は、外部折り畳み可能ＲＦアンテナ１３を含む。図５に最もよく示されるように、ＲＦアンテナ１３はメインボディ１０の外側に位置する。通信システム２はまた、メインボディの内側に位置することができる内部アンテナ（例えば、ブルートゥース（登録商標）アンテナ）を含んでもよい。本願発明の例示的な実施形態の全ての上記の説明は、例示の目的のためだけに提供されており、決して本願発明を限定するものではない。当業者に明らかなように、通信システム内に埋め込まれた／一体化されたユーザーインターフェース装置（ＵＩＤ）の多くの異なる形状は、考案されることができる。例示的な実施形態の多くの変形例は、特許請求の範囲に規定されるような発明の技術的範囲を超えることなく、提供されることができる。
【符号の説明】
【００３０】
１  通信システム
２  通信システム
１０  メインボディ
１０  ハウジング
１１  圧力作動要素
１２  スクロール作動要素
１３  ＲＦアンテナ
２１  多方向傾斜可能／押圧可能プレート
２２  加圧可能領域
２３  加圧可能領域
２４  加圧可能領域
２５  処理回路及び通信回路、プリント回路基板（ＰＣＢ）
２６  圧力要素
２７  圧力要素
２８  圧力要素
３１〜３８  アクション「キー」
【図１】
0006557817.tif 000002
【図２】
0006557817.tif 000003
【図３Ａ】
0006557817.tif 000004
【図３Ｂ】
0006557817.tif 000005
【図４】
0006557817.tif 000006
【図５】
0006557817.tif 000007